(57)【要約】【課題】  Ｗｅｂサイト間の移動の前後で画面表示設定が変化することを防止する。【解決手段】  Ｗｅｂサイトの提供を受けて画像表示するためのユーザ端末２と、インターネットなどのネットワーク４と、ポータルサーバ１と、コンテンツサーバ３を備える。ポータルサーバ１は、Ｗｅｂサービスプログラム６と、コンテンツＤＢ７と、設定ファイル８を有している。コンテンツサーバ３は、Ｗｅｂサービスプログラム１０と、プログラムインタフェイス９と、コンテンツＤＢ１１を有している。ユーザ端末にてＷｅｂサイトの画面表示設定を行い、その画面表示設定をポータルサーバの設定ファイルに記憶し、ユーザ端末へコンテンツサーバから提供されるＷｅｂサイトの画面表示設定をプログラムインタフェイスにより取得された設定ファイルの内容で設定して、Ｗｅｂサイト間の移動の前後で画面表示設定が変化することを防止する。【選択図】      図２
2006350640.tif 000002
【特許請求の範囲】
【請求項１】
提供されたＷｅｂサイトの画面表示を行うユーザ端末と、
ユーザ端末にて設定された画面表示設定をネットワークを介して取得し記憶する設定ファイルと、
設定ファイルを有しユーザ端末と提供されるＷｅｂサイトの間に介在するポータルサーバと、
設定ファイルに記憶された画面表示設定を取得し、提供するＷｅｂサイトの画面表示が該画面表示設定と一致するように設定するプログラムインタフェイスと、
プログラムインタフェイスを有し、該プログラムインタフェイスが設定した画像表示設定に一致されたＷｅｂサイトをポータルサーバを介してユーザ端末へ提供するコンテンツサーバと、
を備えることを特徴とする個人向け情報提供システム。
【請求項２】
前記画面表示設定は、ユーザ端末に表示されるＷｅｂサイトにおける文字の大きさ、文字の色、背景の色、文字の配置、振り仮名の有無、振り仮名の書式、漢字とひらがなの使用箇所の指定、のうちのすくなくともいずれか一つ以上を含むことを特徴とする請求項１に記載の個人向け情報提供システム。
【請求項３】
前記設定ファイルは、ユーザ端末に入力された認証情報、あるいはユーザ端末とポータルサーバとの接続状態を特定するための接続情報でもって該ユーザ端末との対応付けが識別されることを特徴とする請求項１または２のいずれかに記載の個人向け情報提供システム。
【請求項４】
ユーザ端末によって、提供されたＷｅｂサイトの画面表示を行うステップと、
設定ファイルによって、ユーザ端末にて設定された画面表示設定をネットワークを介して取得し記憶するステップと、
設定ファイルを有するポータルサーバによって、ユーザ端末と提供されるＷｅｂサイトの間に介在するステップと、
プログラムインタフェイスによって、設定ファイルに記憶された画面表示設定を取得し、提供するＷｅｂサイトの画面表示が該画面表示設定と一致するように設定するステップと、
プログラムインタフェイスを有するコンテンツサーバによって、該プログラムインタフェイスが設定した画像表示設定に一致されたＷｅｂサイトをポータルサーバを介してユーザ端末へ提供するステップと、
を有することを特徴とする個人向け情報提供方法。
【請求項５】
前記画面表示設定は、ユーザ端末に表示されるＷｅｂサイトにおける文字の大きさ、文字の色、背景の色、文字の配置、振り仮名の有無、振り仮名の書式、漢字とひらがなの使用箇所の指定、のうちのすくなくともいずれか一つ以上を含むことを特徴とする請求項４に記載の個人向け情報提供方法。
【請求項６】
前記設定ファイルによって、ユーザ端末に入力された認証情報、あるいはユーザ端末とポータルサーバとの接続状態を特定するための接続情報でもって該ユーザ端末との対応付けを識別するステップを有することを特徴とする請求項４または５のいずれかに記載の個人向け情報提供方法。
【発明の詳細な説明】
【技術分野】
【０００１】
本発明は、Ｗｅｂサイト間の移動の前後で画面表示設定が変化することを防止するための技術に関する。
【背景技術】
【０００２】
現在、企業や自治体、団体などの情報提供者が個人向けに情報を発信する手段として、Ｗｅｂサイトが広く利用されている。これらのＷｅｂサイトでは提供者が一意にデザインを規定している。そのため高齢者や障害者などにとっては、字が小さい、あるいは色調の区別がつきにくく読みづらいという状況がしばしば発生する。
【０００３】
特にポータルサイトとなっているＷｅｂサイトでは、該Ｗｅｂサイトから任意に他の多くのＷｅｂサイトへ接続することが多いため、他のＷｅｂサイトに移動するごとに文字の大きさ、フォントが変化する。こうした変化に起因して、とりわけ高齢者、障害者などにとっては情報を取得するのに抵抗を感じることもある。
【０００４】
また、Ｗｅｂサイトのコンテンツには漢字が多く用いられているため、そのＷｅｂサイトを利用するユーザが子供や外国人などの漢字に詳しくないユーザである場合、その理解を妨げるという状況や、逆にひらがなが多いと日本人の成人には読みづらい場合もある。
【０００５】
こうした背景を鑑みて、個人向けにＷｅｂ画面を自由にカスタマイズ可能に構成する技術が存在している。こうした技術を用いることにより、ユーザ個人の設定によってユーザごとに任意に文字の大きさを変更したり、さらに文字と背景の配色を変更できる。この技術を応用したＷｅｂサイトも存在するが、これらの例はいずれも情報提供者が設置するＷｅｂサイト内部の文字や配色に関するものである（特許文献１、２、非特許文献１）。
【特許文献１】特開２００４−７８７２６号公報
【特許文献２】特開２００４−２４６５０９号公報
【非特許文献１】「横浜市ホームページ（らくらくWeb散策）」URL http://www.city.yokohama.jp
【発明の開示】
【発明が解決しようとする課題】
【０００６】
しかしながら、Ｗｅｂサイトに設置されたリンクをクリックして、リンク先のＷｅｂサイトへ移動した場合は、移動した先のＷｅｂサイトでは画面表示設定が異なるため、文字の大きさや配色が急激に変化する。このため、高齢者や障害者にとってはこうした急激な変化に対応できず受け入れ難いものであった。
【０００７】
また、移動した先のＷｅｂサイト中の記事について施されたふり仮名は移動前のＷｅｂサイトの画面表示設定と異なる固定した書式で表記されるため、ふり仮名が不要な利用者にとっては読みづらいものであった。
【０００８】
また、移動した先のＷｅｂサイトごとの独自の画面表示設定がされていることに起因してふり仮名の表記方法が異なり、ふり仮名を読もうとする利用者にとって読みづらいものであった。
【０００９】
本発明は、上記の課題に鑑みてなされたもので、その目的は、Ｗｅｂサイト間の移動の前後で画面表示設定が変化することを防止することにある。
【課題を解決するための手段】
【００１０】
請求項１に記載の本発明は、提供されたＷｅｂサイトの画面表示を行うユーザ端末と、ユーザ端末にて設定された画面表示設定をネットワークを介して取得し記憶する設定ファイルと、設定ファイルを有しユーザ端末と提供されるＷｅｂサイトの間に介在するポータルサーバと、設定ファイルに記憶された画面表示設定を取得し、提供するＷｅｂサイトの画面表示が該画面表示設定と一致するように設定するプログラムインタフェイスと、プログラムインタフェイスを有し、該プログラムインタフェイスが設定した画像表示設定に一致されたＷｅｂサイトをポータルサーバを介してユーザ端末へ提供するコンテンツサーバと、を備える。
【００１１】
本発明においては、ユーザ端末にてＷｅｂサイトの画面表示設定を行い、その画面表示設定をポータルサーバの設定ファイルに記憶し、ユーザ端末へコンテンツサーバから提供されるＷｅｂサイトの画面表示設定をプログラムインタフェイスにより取得された設定ファイルの内容で設定して、Ｗｅｂサイト間の移動の前後で画面表示設定が変化することを防止している。
【００１２】
また、請求項２に記載の本発明は、請求項１において、前記画面表示設定は、ユーザ端末に表示されるＷｅｂサイトにおける文字の大きさ、文字の色、背景の色、文字の配置、振り仮名の有無、振り仮名の書式、漢字とひらがなの使用箇所の指定、のうちのすくなくともいずれか一つ以上を含む。
【００１３】
本発明においては、Ｗｅｂサイトに表示される文字の大きさ、文字の色、背景の色、文字の配置、振り仮名の有無、振り仮名の書式、漢字とひらがなの使用箇所の指定、のうちのいずれか一つ以上がＷｅｂサイト間の移動の前後で変化することを防止している。
【００１４】
また、請求項３に記載の本発明は、請求項１または２のいずれかにおいて、前記設定ファイルは、ユーザ端末に入力された認証情報、あるいはユーザ端末とポータルサーバとの接続状態を特定するための接続情報でもって該ユーザ端末との対応付けが識別される。
【００１５】
本発明においては、ユーザ端末と設定ファイルとの対応をユーザ端末に入力されたＩＤもしくはパスワードなどの認証情報、あるいはユーザ端末とポータルサーバとの接続に伴い一時的に設定されたセッションＩＤ、cookieなどの接続状態を特定するための接続情報を用いて行い、Ｗｅｂサイト間の移動により設定ファイルとユーザ端末の対応が取れなくなることを防止して、Ｗｅｂサイト間の移動の前後で画面表示設定が変化することを防止している。
【００１６】
また、請求項４に記載の本発明は、ユーザ端末によって、提供されたＷｅｂサイトの画面表示を行うステップと、設定ファイルによって、ユーザ端末にて設定された画面表示設定をネットワークを介して取得し記憶するステップと、設定ファイルを有するポータルサーバによって、ユーザ端末と提供されるＷｅｂサイトの間に介在するステップと、プログラムインタフェイスによって、設定ファイルに記憶された画面表示設定を取得し、提供するＷｅｂサイトの画面表示が該画面表示設定と一致するように設定するステップと、プログラムインタフェイスを有するコンテンツサーバによって、該プログラムインタフェイスが設定した画像表示設定に一致されたＷｅｂサイトをポータルサーバを介してユーザ端末へ提供するステップと、を有する。
【００１７】
本発明においては、ユーザ端末にてＷｅｂサイトの画面表示設定を行い、その画面表示設定をポータルサーバの設定ファイルに記憶し、ユーザ端末へコンテンツサーバから提供されるＷｅｂサイトの画面表示設定をプログラムインタフェイスにより取得された設定ファイルの内容で設定するステップを有して、Ｗｅｂサイト間の移動の前後で画面表示設定が変化することを防止している。
【００１８】
また、請求項５に記載の本発明は、請求項４において、前記画面表示設定は、ユーザ端末に表示されるＷｅｂサイトにおける文字の大きさ、文字の色、背景の色、文字の配置、振り仮名の有無、振り仮名の書式、漢字とひらがなの使用箇所の指定、のうちのすくなくともいずれか一つ以上を含む。
【００１９】
本発明においては、Ｗｅｂサイトに表示される文字の大きさ、文字の色、背景の色、文字の配置、振り仮名の有無、振り仮名の書式、漢字とひらがなの使用箇所の指定、のうちのいずれか一つ以上がＷｅｂサイト間の移動の前後で変化することを防止している。
【００２０】
また、請求項６に記載の本発明は、請求項４または５のいずれかにおいて、前記設定ファイルによって、ユーザ端末に入力されたＩＤもしくはパスワード、あるいはユーザ端末とポータルサーバとの接続に伴い一時的に設定されたセッションＩＤ、cookieでもって該ユーザ端末との対応付けを識別するステップを有する。
【００２１】
本発明においては、ユーザ端末と設定ファイルとの対応をユーザ端末に入力されたＩＤもしくはパスワード、あるいはユーザ端末とポータルサーバとの接続に伴い一時的に設定されたセッションＩＤ、cookieを用いて行うステップを有し、Ｗｅｂサイト間の移動により設定ファイルとユーザ端末の対応が取れなくなることを防止して、Ｗｅｂサイト間の移動の前後で画面表示設定が変化することを防止している。
【発明の効果】
【００２２】
本発明によれば、Ｗｅｂサイト間の移動の前後で画面表示設定が変化することを防止できる。
【００２３】
また、本発明の別の効果は、すくなくともＷｅｂサイトに表示される文字の大きさ、文字の色、背景の色、文字の配置、振り仮名の有無、振り仮名の書式、漢字とひらがなの使用箇所の指定、のうちのすくなくとも一つ以上がＷｅｂサイト間の移動の前後で変化することを防止できる。
【００２４】
また、本発明の別の効果は、ユーザ端末に入力された認証情報、あるいはユーザ端末とポータルサーバとの接続状態を特定するための接続情報でもって該ユーザ端末との対応付けを識別して、Ｗｅｂサイト間の移動により設定ファイルとユーザ端末の対応が取れなくなることを防止し、Ｗｅｂサイト間の移動の前後で画面表示設定が変化することを防止できる。
【発明を実施するための最良の形態】
【００２５】
図１に個人向け情報提供システムの実施の形態に係る全体構成図を示す。この図１には図示しないユーザがＷｅｂサイトを利用するための複数のユーザ端末２、２’と、インターネットなどのネットワーク４と、Ｗｅｂサイトなどの情報を提供する図示しない情報提供者が設置するポータルサイトなどが置かれたポータルサーバ１、１’と、ポータルサーバ１、１’を介してユーザ端末２、２’へＷｅｂサイトを提供するコンテンツサーバ３、３’が示されている。なお、ポータルサーバ１、１’とコンテンツサーバ３、３’は図示しないインターネットやイントラネット、専用回線などのネットワークで接続されている。また、ポータルサーバ１とポータルサーバ１’間は必要に応じて相互で通信し情報交換が可能である（図中５で示す点線）。
【００２６】
この図１に示すように、図示しない情報提供者はポータルサーバ１、１’にポータルサイトを設置する。このポータルサイトはユーザがユーザ端末２、２’上で動作するＷｅｂブラウザを使用してＷｅｂコンテンツを閲覧する際に、画面表示の文字の大きさ、色、背景の色、漢字の振り仮名の書式などの設定を変更でき、さらにその画面表示設定をネットワーク４を介して外部へ出力する機能を備えている。
【００２７】
また、情報提供者はポータルサイト上にＵＲＬリンクを設置し、このＵＲＬリンクをユーザが画面上でクリックすることにより、Ｗｅｂサイト間を移動して接続される他のＷｅｂサイト（コンテンツサイト）をコンテンツサーバ３、３’へ設置する。このＷｅｂサイトにもＷｅｂブラウザによってコンテンツを閲覧する際に文字の大きさ、色、背景の色、漢字の振り仮名の書式などを変更する画面表示設定の機能を備えている。また図１中のコンテンツサーバ３、３’に置かれたＷｅｂサイトは、ポータルサーバ１、１’から出力される（あるいは取得可能な）画面表示設定を参照し、これに一致するように自己の画面表示設定を変更する。すなわち、ユーザ端末で設定されたＷｅｂブラウザの画面表示設定がポータルサーバ１、１’とコンテンツサーバ３、３’に伝達されて記憶され、Ｗｅｂサイト間を移動しても統一的な画面表示をユーザへ提供可能にしている。
【００２８】
次の図２は、図１に示した実施の形態の全体構成図の部分構成を示している。この図２には、Ｗｅｂサイトの提供を受けて画像表示するためのユーザ端末２（２’）と、インターネットなどのネットワーク４と、ポータルサーバ１（１’）と、コンテンツサーバ３（３’）が示されている。ポータルサーバ１は、Ｗｅｂサービスプログラム６と、コンテンツＤＢ７と、設定ファイル８を有している。コンテンツサーバ３は、Ｗｅｂサービスプログラム１０と、プログラムインタフェイス９と、コンテンツＤＢ１１を有している。
【００２９】
情報提供者はまず、ポータルサーバ１（１’）にＷｅｂサイトを設置し、インターネットなどのネットワーク４を介してユーザ端末２（２’）からのアクセスを可能にする。このＷｅｂサイトは一般にはポータルサイトと呼ばれるものである。ポータルサーバ１の構成は、コンテンツを貯蔵するコンテンツＤＢ７と、ユーザ端末２からのアクセスに対応するＷｅｂサービスプログラム６から構成される。
【００３０】
Ｗｅｂサービスプログラム６はユーザ端末２からの要求に応じてコンテンツＤＢ７からその要求に該当するコンテンツを抽出し、ユーザ端末２上で動作するＷｅｂブラウザ等のインタフェイスへ提供する。この際、ユーザ端末２を利用する図示しないユーザの好みに応じてＷｅｂブラウザの画面表示設定のうち、例えば文字の大きさ、色、背景の色、漢字に振り仮名を振る、あるいは全てひらがなで書き下ろす、といった画面表示設定が任意に可能である。
【００３１】
ここで、漢字に読み仮名を振る方式としては、あらかじめ漢字に読み仮名を付加したＷｅｂコンテンツを用意し画面表示設定に従って提供する方式や、Ｗｅｂサイトが置かれたサーバ上において動作する漢字仮名変換プログラムを搭載し、Ｗｅｂサイトを提供する際に漢字仮名変換を実行した後に提供してもよい。
【００３２】
なお、画面表示設定の具体例として図４と図５にその一例を示す。図４には振り仮名とひらがなの一例を示しており、「高病原性鳥インフルエンザについて」という文字表示に対して、たとえば（例１）のように漢字部分に振り仮名を施したり、あるいは（例２）のように漢字部分の後に読み仮名を挿入してもよく、あるいは（例３）に示すように全てをひらがな表記にしてもよい。
【００３３】
さらに図５に示すように背景色の変更と読み仮名の挿入を任意に混成してもよく、Ｗｅｂブラウザ１４に画面表示されたテキスト表示１５部分に対して、背景色を変えた表示１２や読み仮名を挿入した表示１３を行ってもよい。
【００３４】
また、ユーザがユーザ端末２にて設定した画面表示設定は、その設定内容を収納したファイルデータとしてネットワーク４を介してポータルサーバ１へ出力される。ポータルサーバ１ではこのファイルデータを設定ファイル８に記憶する。なお、このファイルデータはポータルサーバ１に限定することなく、例えばネットワーク４に接続された図示しない他のサーバに記憶してもよい。
【００３５】
次に、ポータルサーバ１にはコンテンツサーバ３が接続されている。このコンテンツサーバ３の構成は、Ｗｅｂコンテンツを貯蔵するコンテンツＤＢ１１と、Ｗｅｂサービスプログラム１０と、インタフェイスプログラム９から構成される。
【００３６】
なお、このコンテンツサーバ３によりネットワーク４を介して提供されるコンテンツは画像やテキストなどの一方向の情報提供に留まらず、ユーザ端末２から送信された情報に対して双方向の情報交換を伴うコンテンツ提供も含まれる。例えば、ユーザ端末２からの各種申込みや、各種申請手続きなどの実行、登録手続きなどの双方向の通信が必要なＷｅｂサービスの提供である。
【００３７】
Ｗｅｂサービスプログラム１０はポータルサーバ１が備えるＷｅｂサービスプログラム６と同等の機能を有し、ユーザ端末２からの要求に応じてコンテンツＤＢ１１から要求に該当するＷｅｂコンテンツを抽出し、ユーザ端末２上で動作するＷｅｂブラウザ等のインタフェイスへ提供している。
【００３８】
なお、このＷｅｂサービスプログラム１０によるＷｅｂコンテンツの提供において、Ｗｅｂブラウザに画面表示される文字の大きさ、色、背景の色、漢字に振り仮名を振る、あるいは全てひらがなで書き下ろす、といった設定も可能である。
【００３９】
さらにインタフェイスプログラム９は、ユーザ端末２にて設定されてポータルサーバ１の設定ファイル８に記憶された画面表示設定を読み込み、文字の大きさ等の画面表示設定をコンテンツＤＢ１１に記憶されているＷｅｂコンテンツの画面表示設定に反映させる機能を備えている。
【００４０】
次の図３には、図２に示したユーザ端末２とポータルサーバ１とコンテンツサーバ３との間における処理を説明するための説明図を示す。
【００４１】
まず、ユーザはユーザ端末２上で動作するＷｅｂブラウザを介して必要に応じポータルサーバ１に置かれたＷｅｂサイト（ポータルサイト）に初期アクセスする（ステップ１：Ｓ１、以下同様に表記）。
【００４２】
次に、ユーザはユーザ端末２のＷｅｂブラウザに表示された画面に対して任意に文字の大きさ、色、背景の色、等の画面表示設定を行う。また、漢字表示に対する振り仮名の振り方の指定といった画面表示設定も行う。この画面表示設定の操作に連係してユーザ端末２からはネットワーク４を介してポータルサーバ１へ画面表示設定が出力され、設定ファイル８に記憶されると共に、提供しているポータルサイトの画面表示が受信した画面表示設定に一致するように変更される（ステップ２）。
【００４３】
次に、ユーザがユーザ端末２のＷｅｂブラウザに表示されたポータルサイト上からＵＲＬリンクを例えばクリックして他のサイトに移動した際において、ポータルサイトが置かれたポータルサーバ１のＷｅｂサービスプログラム６は、文字の大きさ、色、背景の色、文章のスタイル等の画面表示設定を設定ファイル８から読み出して出力する（ステップ３）。
【００４４】
次に、ＵＲＬリンクされた移動先のＷｅｂサイトはコンテンツサーバ（Ｗｅｂサーバ）３に置かれており、コンテンツサーバ３のインタフェイスプログラム９によって、ポータルサーバ１から出力された設定ファイル８の内容を読み込み（ステップ４）、Ｗｅｂサービスプログラム１０上でＷｅｂコンテンツに初期設定されている画面表示設定を設定ファイル８の内容に一致するように変更する。
【００４５】
次に、ユーザ端末２からＵＲＬリンクで設定された移動先のＷｅｂサイトへ移動すると（ステップ５）、そのＷｅｂサイトを置いているコンテンツサーバ３からはユーザ端末２にて初期設定された画面表示設定に一致した画面表示でＷｅｂブラウザなどのインタフェイスにＷｅｂコンテンツを表示する。すなわち、ユーザがユーザ端末２にてコンテンツサーバに置かれたＷｅｂサイトにアクセスした場合、ポータルサーバ１の設定ファイル８に記憶された画面表示設定と同様の画面表示をするインタフェイス（Ｗｅｂブラウザ）にＷｅｂコンテンツを表示することができる。
【００４６】
なお、ユーザ端末２に入力されたＩＤもしくはパスワードなどの認証情報や、あるいはユーザ端末とポータルサーバとの接続に伴い一時的に設定されたセッションＩＤ、cookieなどの接続状態を特定するための接続情報を用いて、ユーザ端末２あるいはユーザの認証を行ってもよい。ユーザ端末２にて設定された個別の画面表示設定とこれらの認証情報とを対応付けして設定ファイル８に記憶することにより、ユーザの個別にそれぞれの画面表示設定によるＷｅｂサイトの表示をすることができる。また、複数のユーザ端末２ごとに、それぞれに設定された画面表示設定でもってＷｅｂサイトを表示することができる。
【００４７】
以上説明した実施の形態によれば、Ｗｅｂサイト間の移動の前後で画面表示設定が変化することを防止できる。
【００４８】
また、すくなくともＷｅｂサイトに表示される文字の大きさ、文字の色、背景の色、文字の配置、振り仮名の有無、振り仮名の書式、漢字とひらがなの使用箇所の指定、のうちのすくなくとも一つ以上がＷｅｂサイト間の移動の前後で変化することを防止できる。
【００４９】
また、ユーザ端末と設定ファイルとの対応をユーザ端末に入力されたＩＤもしくはパスワードなどの認証情報や、あるいはユーザ端末とポータルサーバとの接続に伴い一時的に設定されたセッションＩＤ、cookieなどの接続状態を特定するための接続情報を用いて行い、Ｗｅｂサイト間の移動により設定ファイルとユーザ端末の対応が取れなくなることを防止し、Ｗｅｂサイト間の移動の前後で画面表示設定が変化することを防止できる。
【図面の簡単な説明】
【００５０】
【図１】実施の形態に係る全体構成図を示す。
【図２】実施の形態の全体構成図の部分構成を示している。
【図３】ユーザ端末とポータルサーバとコンテンツサーバの間における処理を説明するための説明図を示す。
【図４】実施の形態の画面表示設定のうち、振り仮名とひらがなの一例を示す。
【図５】実施の形態の画面表示設定のうち、背景色の変更と読み仮名の一例を示す。
【符号の説明】
【００５１】
１、１’  ポータルサーバ
２、２’  ユーザ端末
３、３’  コンテンツサーバ
４  ネットワーク
６、１０  Ｗｅｂサービスプログラム
７、１１  コンテンツＤＢ（データベース）
８  設定ファイル
９  インタフェイスプログラム
【図１】
2006350640.tif 000003
【図２】
2006350640.tif 000004
【図３】
2006350640.tif 000005
【図４】
2006350640.tif 000006
【図５】
2006350640.tif 000007